(57)【特許請求の範囲】
【請求項１】
浴室と脱衣室の間の開口に設けた枠体内に一対の戸体を連結桟を介して浴室側に折り畳み開閉自在に並設してなる浴室折り戸であって、
上記枠体を構成する下枠は浴室と脱衣室の床面に対して略面一状に形成され、
上記連結桟の下端には上記下枠側に向けて突出するラッチを取付けると共に、このラッチは連結桟に対して固定されるラッチ固定部と、下枠に設けたラッチ受けに係脱自在に係合するラッチ突起とを備えてなり、
上記下枠のラッチ受けは上記戸体の閉鎖状態において上記ラッチの下方位置よりやや浴室側寄りに位置して設けられ、
上記各戸体を構成する下框と上記ラッチには各下面から垂下する水切り片を設け、この水切り片が上記下枠の走行レール片に対し当接自在とされ、
上記下枠の浴室側片を、上記水切り片の下方位置から浴室側の端部位置にかけて該水切り片に対して略非接触状となる低段状に形成してなることを特徴とする浴室折り戸。
【請求項２】
上記ラッチ受けは、上記ラッチにて係合される係合部と、該係合部に対して一体に形成された固定部とを備え、該固定部を上記下枠に対して締結ネジにてネジ止めすることにより上記ラッチ受けを上記下枠に取付けたことを特徴とする請求項１記載の浴室折り戸。
【請求項３】
上記下枠には上記締結ネジを上方及び両側方から覆うためのネジカバーを設け、該ネジカバーの端部には係止爪を形成すると共に、該係止爪に対応する位置及び形状の係止孔を上記下枠に形成し、この係止孔に上記係止爪を係止させることにより、上記ネジカバーを上記下枠に取付けたことを特徴とする請求項２記載の浴室折り戸。
【発明の詳細な説明】
【０００１】
【発明の属する技術分野】
本発明は、浴室と脱衣室との間に設けられる浴室折り戸であって、特にラッチの係合構造に特徴を有する浴室折り戸に関する。
【０００２】
【従来の技術】
近年におけるバリアフリー化の要請から、一般住宅の浴室と脱衣室の間に設けられる浴室折り戸についても、バリアフリー構造のものが提案され広く採用されている。このようなバリアフリー構造の浴室折り戸は、浴室と脱衣室の間の開口に設けた枠体内に、一対の戸体を連結桟を介して折り畳み開閉自在に並設して構成されている。この枠体の下枠は、バリアフリー構造としての基準に適合するように、浴室及び脱衣室の床面に対して、面一又は所定の基準値以内の段差のみを有するように形成されている。
【０００３】
このようなバリアフリー構造の浴室折り戸においては、戸体は、下枠よりも若干上方に浮き上がるように配置されている。
すなわちバリアフリー構造でない浴室折り戸においては、浴室の床面は脱衣室の床面より低く形成され、両床面の間には段部が形成されていた。そして戸体は下枠より若干下方に下がった位置に配置され、戸体の閉鎖時においては戸体の脱衣室側の側面が段部に当接するように形成されていた。
一方、上述のようなバリアフリー構造の浴室折り戸においては、下枠が浴室や脱衣室に対して面一又はほぼ面一に形成されていることから、戸体はその側面を下枠に対して当接させることなく配置されていた。
【０００４】
このようなバリアフリー構造の浴室折り戸においては、戸体が下枠に当接することのないように構成されているために、戸体と下枠との間に隙間が生じ、水密性が保てなくなるおそれがある。
このため各戸体の下框には、その下面から垂下して下枠に略当接する水切り片が設けられ、この水切り片によって水密構造が形成されていた。
【０００５】
【発明が解決しようとする課題】
しかしながらこのように、戸体の下框に単に水切り片を設けた場合には、戸体の開閉時において水切り片が下枠に接触することから、水切り片が摩耗してその機能を果たさなくなったり、大きな開閉抵抗を生じさせることになって開閉性を妨げたり、あるいは不快な音を生じさせるおそれがある。
このような問題を解消するため、下枠の浴室側の部分の高さを下げて低段状とし、戸体の開閉時に水切り片が下枠に接触しないようにすることも考えられる。しかしながら単に下枠の浴室側の部分を低段状とした場合には、連結桟に設けたラッチが機能しなくなるおそれがあった。
【０００６】
すなわち連結桟には、その上下の両端部にラッチが設けられることが一般的であり、このラッチを上下枠に対して係脱自在に係合させることによって、戸体の開閉時において適度な抵抗を生じさせることが行われている。
しかし上述のように下枠の浴室側の部分を低段状とした場合には、連結桟の下端に設けたラッチを下枠に係合させることができず、ラッチが機能しなくなるという問題があった。
【０００７】
本発明は、従来のこのような浴室折り戸における問題点に鑑みてなされたもので、戸体に設けた水切り片を下枠に対して非接触状とするようなバリアフリーの浴室折り戸においても、ラッチを有効に機能させることのできる浴室折り戸を提供することを目的とする。
【０００８】
【課題を解決するための手段】
上記従来の浴室折り戸における問題点を解決するために請求項１記載の本発明は、浴室と脱衣室の間の開口に設けた枠体内に一対の戸体を連結桟を介して浴室側に折り畳み開閉自在に並設してなる浴室折り戸であって、
上記枠体を構成する下枠は浴室と脱衣室の床面に対して略面一状に形成され、
上記連結桟の下端には上記下枠側に向けて突出するラッチを取付けると共に、このラッチは連結桟に対して固定されるラッチ固定部と、下枠に設けたラッチ受けに係脱自在に係合するラッチ突起とを備えてなり、
上記下枠のラッチ受けは上記戸体の閉鎖状態において上記ラッチの下方位置よりやや浴室側寄りに位置して設けられ、
上記各戸体を構成する下框と上記ラッチには各下面から垂下する水切り片を設け、この水切り片が上記下枠の走行レール片に対し当接自在とされ、
上記下枠の浴室側片を、上記水切り片の下方位置から浴室側の端部位置にかけて該水切り片に対して略非接触状となる低段状に形成してなることを特徴として構成されている。
【０００９】
また請求項２記載の本発明は、請求項１記載の本発明において、上記ラッチ受けは、上記ラッチにて係合される係合部と、該係合部に対して一体に形成された固定部とを備え、該固定部を上記下枠に対して締結ネジにてネジ止めすることにより上記ラッチ受けを上記下枠に取付けたことを特徴として構成されている。
【００１０】
また請求項３記載の本発明は、請求項２記載の本発明において、上記下枠には上記締結ネジを上方及び両側方から覆うためのネジカバーを設け、該ネジカバーの端部には係止爪を形成すると共に、該係止爪に対応する位置及び形状の係止孔を上記下枠に形成し、この係止孔に上記係止爪を係止させることにより、上記ネジカバーを上記下枠に取付けたことを特徴として構成されている。
【００１１】
【発明の実施の形態】
以下、本発明の一実施形態について図面を参照して詳細に説明する。図１は浴室折り戸全体の正面図、図２は図１のＡ−Ａ矢視横断面図、図３は図２の戸体開放状態を示す横断面図、図４は図１のＢ−Ｂ矢視縦断面図、図５は図１のＣ−Ｃ矢視縦断面図、図６は図１のＤ−Ｄ矢視横断面図、図７は図１のＥ−Ｅ矢視横断面図、図８は浴室折り戸の分解斜視図である。なお図４、５においては、切断面の近傍部分のみを図示し、背景部分を省略して示す。
【００１２】
図１〜３に示すように本実施形態の浴室折り戸は概略的に、浴室と脱衣室との間の開口に設けた枠体１内に、一対の戸体２、３を連結桟８を介して折り畳み開閉自在に並設して構成されている。
このうち枠体１は、上下枠１１、１２及び左右の縦枠１３、１４から方形状に枠組されている。このうち下枠１２は、図４、５に示すように、浴室の床面４及び脱衣室の床面５に対して面一又は所定の基準値以内の段差のみを有してバリアフリー構造を構成している。
また一対の戸体２、３は、図１〜３に示すように、枠体１内において見付方向に沿って並設されている。これら各戸体２、３は、図１、８に示すように、上框２１、３１、下框２２、３２、左の縦框２３、３３、及び右の縦框２４、３４から方形状に枠組された框体内にパネル２５、３５を嵌込んで構成されている。
【００１３】
このうち縦枠１３、１４側に配置される縦框２３、３４には、図８に示すように、その上下の両端部にヒンジ６、７が設けられており、このヒンジ６、７によって各戸体２、３が支持されている。これらヒンジ６、７のうち、縦框３４の上下端部に設けられたヒンジ６は可動用であり、縦框３４を上下枠１１、１２に対して回転自在かつ見付け方向に移動自在に連係する。また戸体３の縦框２３の上下に設けられたヒンジ７は固定用であり、縦框２３を上下枠１１、１２に対して回転自在かつ見付け方向に移動不能に連係する。なお連結桟８側に配置される縦框２４、３３には、その下端にキャップ９が設けられている。
【００１４】
一方、ヒンジ６、７の設けられていない縦框２４、３３は連結框として機能し、連結桟８に対して図６、７に示す如き構造にて相互に連結されている。具体的には、縦框２４、３３には連結桟８側に突出する横断面略中空円筒状の連結子２４ａ、３３ａが形成され、連結桟８には上記連結子２４ａ、３３ａを受け入れる横断面半円筒状の連結溝８ａが形成されており、この連結溝８ａ内に連結子２４ａ、３３ａが回転可能に保持されている。このような構造によって、各戸体２、３は連結桟８を介して相互に連結されると共に、図２、３に示すように浴室側に向けて折り畳み開閉自在とされている。
【００１５】
このように支持及び連結された状態において各戸体２、３及び連結桟８は、下枠１２よりも若干上方に浮き上がるように配置される。すなわち戸体２、３及び連結桟８は、図４、５に示すように、ヒンジ６及び後述するラッチ４０、第１〜第４の水切り片８１〜８４を除き、その側面及び下面のいずれをも下枠１２に対して当接させることなく配置されている。
【００１６】
ここで連結桟８には、図１〜３、８に示すように、その上下の両端部にラッチ４０が設けられている。このラッチ４０は連結桟８の上下いずれかに突出し、上枠１１と、下枠１２の後述するラッチ受け５０に対して係脱自在に係合することによって戸体２、３の開閉時において適度な抵抗を生じさせるものである。なお上側のラッチ４０と下側のラッチ４０とは、特記する部分を除いて上下ほぼ対称に構成されているにすぎないため、以下、下側のラッチ４０について説明する。図９（ａ）、（ｂ）、（ｃ）、（ｄ）は、それぞれ下側のラッチ４０の正面図、側面図、（ａ）のＦ−Ｆ矢視縦断面図、縦断面図、平面図である。これら図９においてラッチ４０はプラスチック等の樹脂にて形成されるもので、連結桟８に対して固定されるラッチ固定部４１と、ラッチ受け５０に係脱自在に係合するラッチ突起４２と、これらラッチ固定部４１及びラッチ突起４２を収納するラッチケース４３とを備えて構成されている。
【００１７】
このうちラッチ固定部４１は、図６に示すように、連結桟８の中空部内に挿入配置されている。そして図４、６、８に示すように、連結ビス４４を介してラッチ固定部４１が連結桟８に固定される。
またラッチ突起４２は、正面薄幅状に形成されており、図５に示すように下枠１２のラッチ受け５０に対して係脱自在に係合する。このラッチ突起４２は、図５、９に示すように、その上方の係止片４６を介して、ラッチ固定部４１に対して上下にスライド自在かつ係脱不能に係止されている。
【００１８】
ここでラッチ固定部４１の下方には方形筒状の連結部４５が一体に設けられ、また連結部４５内には付勢バネ４７が設けられており、この付勢バネ４７によってラッチ突起４２が下方に向けて付勢されている。
またラッチケース４３は、全体を略方形の中空箱状に形成されている。そしてこのラッチケース４３の中空部内に、上述のラッチ固定部４１及びラッチ突起４２が略収納されている。なお図３、図５に示すように、ラッチケース４３は上記連結桟８側の側部において連結ビス４９を介して連結桟８にネジ止めされている。
【００１９】
このように構成された浴室折り戸において、戸体２、３と下枠１２との間には水密構造が形成されている。この水密構造は、図１に示すように、各戸体２、３の下框２２、３２に設けた第１の水切り片８１、下側のヒンジ６、７に設けた第２の水切り片８２、下側のキャップ９に設けた第３の水切り片８３、下側のラッチ４０に設けた第４の水切り片８４を備えて構成されている。
これら第１〜第４の水切り片８１〜８４は、図１、４、５に示すように、いずれも下枠１２側に向けて垂下して形成されており、戸体２、３の閉鎖時においてはその先端部を下枠１２の走行レール１２ｂの側面に略当接させることによって、浴室から脱衣室へ湯水が浸入することを防止する。
【００２０】
また下枠１２は、戸体２、３の開閉時にこれら第１〜第４の水切り片８１〜８４が下枠１２に当接して摩耗することのないように構成されている。具体的には図４、５に示すように、走行レール１２ｂよりも浴室側に位置する浴室側片１２ｃは、第１〜第４の水切り片８１〜８４の下端位置（走行レール１２ｂの上端位置）よりもやや低くなる低段状に形成されている。
【００２１】
このように下枠１２の浴室側片１２ｃが低く形成されていることから、図１０、図１１に示すように下枠１２の長手方向のうちラッチ４０に対応する部分にはピース状のラッチ受け５０がネジ止めされている。このラッチ受け５０は、下枠１２の浴室側片１２ｃよりも若干上方に突出するように配置されており、その上部にラッチ４０のラッチ突起４２を係合自在として、ラッチ４０によるラッチ動作が可能とされている。
【００２２】
以下、このラッチ受け５０について詳細に説明する。
図１０は図５のラッチ受け５０の周辺部分の拡大図、図１１はラッチ受け５０を中心とする要部斜視図、図１２は図１１の分解斜視図、図１３（ａ）、（ｂ）、（ｃ）はそれぞれラッチ受け５０の平面図、正面図（浴室側から見た面を正面とする）、側面図である。
これら図１０〜１３に示すようにラッチ受け５０は、ラッチ４０にて係合される係合部５１と、固定部５２とを、樹脂等にて一体に形成して構成されている。
【００２３】
このうち係合部５１は正面略下向きコ字状に形成されており、その上面には、係合頂部５１ａと、該係合頂部５１ａに対して浴室側に隣接する切欠き部５１ｂとが設けられている。この係合頂部５１ａはラッチ４０のラッチ突起４２にて係合されるもので、戸体２、３の閉鎖時においてラッチ突起４２の下方位置よりやや浴室側寄りに位置する。また係合頂部５１ａは、下枠１２の浴室側片１２ｃよりも上方位置であって、ラッチ突起４２のスライド範囲における最下方位置と最上方位置との間に配置されている。したがって戸体２、３を開閉させた際、戸体２、３の閉鎖状態の前後の両時点において、ラッチ突起４２が係合頂部５１ａに係合して上方に押圧され、戸体２、３の開閉時において適度な抵抗を生じさせることができる。また切欠き部５１ｂは、浴室側に至るにつれて低くなる傾斜状に形成され、係合頂部５１ａに対するラッチ突起４２のスムーズな係合を可能とする。
【００２４】
また固定部５２はラッチ受け５０を下枠２に固定するためのもので、脱衣室側に位置する固定片５２ａを備えて形成されている。この固定片５２ａにはネジ孔５２ｂが形成されている。そしてこのネジ孔５２ｂに対して浴室側から締結ネジ５３を挿入し、図１２に示す下枠１２に設けたネジ孔１２ｄに対して締結ネジ５３をねじ切りつつネジ込むことによって、締結ネジ５３の頭部と下枠１２とによって固定片５２ａが挟持され、ラッチ受け５０を下枠２に固定することができる。
本実施形態においてはこのようにラッチ受け５０を設けたので、ラッチ４０がラッチ受け５０に係脱自在に係合し、戸体２、３に設けた第１〜第４の水切り片８１〜８４を下枠１２に対して非接触状とするようなバリアフリーの浴室折り戸においても、ラッチ４０を有効に機能させることができる。
【００２５】
また下枠１２には、ラッチ受け５０を下枠２に固定するための締結ネジ５３を上方及び両側方から覆うためのネジカバー５５が設けられている。図１４（ａ）、（ｂ）、（ｃ）はそれぞれネジカバー５５の平面図、正面図（浴室側から見た面を正面とする）、側面図である。この図１４に示すようにネジカバー５５は、締結ネジ５３の上方及び脱衣室側に位置する基片５６と、該基片５６の左右両側に設けられるもので、締結ネジ５３の側方に位置する側片５７とを一体に備えて構成されている。そして、これらネジカバー５５の基片５６と側片５７、及び下枠１２とによって、締結ネジ５３の先端部（ラッチ受け５０から脱衣室側に突出した部分）を完全に納め得る形状の空間部が形成され、この空間部に締結ネジ５３の先端部を配置することによって、該先端部が外部に対して非露出状に覆われる。したがって締結ネジ５３が不用意に外部に露出しないため、安全性及び意匠性が向上する。
【００２６】
このネジカバー５５の側方には、図１４に示すように、下枠１２に向けて突出する係止爪５８が形成されている。一方、図１２に示すように下枠１２には、係止爪５８に対応する位置及び形状で係止孔１２ｅが形成されており、この係止孔１２ｅに係止爪５８を係止させることにより、ネジカバー５５を下枠１２に取付けることができる。したがってネジカバー５５を締結ネジ等の締結具を要することなく下枠１２に取付けることができ、その取付けが非常に用意である。なお係止爪５８は係止孔１２ｅに対して係脱させることができ、ネジカバー５５を取外すことも容易である。
【００２７】
最後に、ラッチ受け５０及びネジカバー５５の取付け手順について説明する。まず下枠１２の浴室側片１２ｃのうち、上記ラッチ受け５０の取付け位置に対応する部分を、該ラッチ受け５０に対応する幅だけ切欠く。また下枠１２に対して、図１２に示すように、ネジ孔１２ｄ及び係止孔１２ｅを形成する。これら浴室側片１２ｃの切欠き、ネジ孔１２ｄの形成、及び係止孔１２ｅの形成は、工場における下枠１２の形成時に一括して自動的に行うことができる。
そして上述のように、締結ネジ５３をネジ込むことによってラッチ受け５０を下枠１２に取付け、最後に係止孔１２ｅに係止爪５８を係止させてネジカバー５５を取付ける。これにて取付け作業が終了する。
【００２８】
さてこれまで本発明の一実施形態について説明したが、本発明は上記に示した実施形態に限定されず、その技術的思想の範囲内において種々異なる形態にて実施されてよいものであり、以下、これら異なる形態について説明する。
まず浴室折り戸の構造、特に枠体、戸体、ラッチケースの基本構造は、上記説明した構造以外にも公知のあらゆる構造が適用されてよい。
【００２９】
またラッチ受けは上記の構造に限らず、ラッチに係脱自在に係合し得るものであれば如何なる構造にて構成されてもよい。またラッチ受けの固定構造も上記のものに限られず、例えば接着にて下枠に固定されてもよい。
またラッチカバーは必ずしも必要ではなく、例えばラッチ受けを接着にて下枠に固定した場合等には、ラッチカバーを省略してもよい。
【００３０】
【発明の効果】
これまで説明したように請求項１、２に記載の本発明は、連結桟の下端には、枠体を構成する下枠側に向けて突出するラッチを設け、枠体の下枠を、戸体の閉鎖時における水切り片の下方位置から浴室側の端部位置にかけて、水切り片に対して略非接触状となる低段状に形成し、枠体の下枠には、戸体の閉鎖状態において、ラッチの下方位置よりやや浴室側寄りに位置し、該ラッチにて係脱自在に係合されるラッチ受けを設けたことにより、戸体に設けた水切り片を下枠に対して非接触状とするようなバリアフリーの浴室折り戸においても、ラッチがラッチ受けに係脱自在に係合し、ラッチを有効に機能させることができる。
【００３１】
また請求項３に記載の本発明は、下枠には締結ネジを上方及び両側方から覆うためのネジカバーを設け、該ネジカバーの端部には係止爪を形成すると共に、該係止爪に対応する位置及び形状の係止孔を下枠に形成し、この係止孔に係止爪を係止させることにより、ネジカバーを下枠に取付けたことにより、締結ネジが外部に対して非露出状に覆われ、締結ネジが不用意に外部に露出しないため、安全性及び意匠性が向上する。
【図面の簡単な説明】
【図１】本発明の一実施形態における浴室折り戸全体の正面図である。
【図２】図１のＡ−Ａ矢視横断面図である。
【図３】図２の戸体開放状態を示す横断面図である。
【図４】図１のＢ−Ｂ矢視縦断面図である。
【図５】図１のＣ−Ｃ矢視縦断面図である。
【図６】図１のＤ−Ｄ矢視横断面図である。
【図７】図１のＥ−Ｅ矢視横断面図である。
【図８】浴室折り戸の分解斜視図である。
【図９】（ａ）、（ｂ）、（ｃ）、（ｄ）は、それぞれ下側のラッチの正面図、側面図、（ａ）のＦ−Ｆ矢視縦断面図、縦断面図、平面図である。
【図１０】図５のラッチ受けの周辺部分の拡大図である。
【図１１】ラッチ受けを中心とする要部斜視図である。
【図１２】図１１の分解斜視図である。
【図１３】（ａ）、（ｂ）、（ｃ）はそれぞれラッチ受けの平面図、正面図、側面図である。
【図１４】（ａ）、（ｂ）、（ｃ）はそれぞれネジカバーの平面図、正面図、側面図である。
【符号の説明】
１  枠体
２、３  戸体
４  （浴室の）床面
５  （脱衣室の）床面
６  ヒンジ
８  連結桟
８ａ  連結溝
９  キャップ
１１  上枠
１２  下枠
１２ｂ  走行レール
１２ｃ  浴室側片
１２ｄ  ネジ孔
１２ｅ  係止孔
１３  左の縦枠
１４  右の縦枠
２１、３１  上框
２２、３２  下框
２３、３３  左の縦框
２４、３４  右の縦框
２４ａ、３３ａ  連結子
２５、３５  パネル
４０  ラッチ
４１  ラッチ固定部
４２  ラッチ突起
４３  ラッチケース
４４  連結ビス
４５  連結部
４６  係止片
４７  付勢バネ
４９  連結ビス
５０  ラッチ受け
５１  係合部
５１ａ  係合頂部
５１ｂ  切欠き部
５２  固定部
５２ａ  固定片
５２ｂ  ネジ孔
５３  締結ネジ
５５  ネジカバー
５６  基片
５７  側片
５８  係止爪
８１  第１の水切り片
８２  第２の水切り片
８３  第３の水切り片
８４  第４の水切り片
【図１】
0003587728.tif 000002
【図２】
0003587728.tif 000003
【図３】
0003587728.tif 000004
【図４】
0003587728.tif 000005
【図５】
0003587728.tif 000006
【図６】
0003587728.tif 000007
【図７】
0003587728.tif 000008
【図８】
0003587728.tif 000009
【図９】
0003587728.tif 000010
【図１０】
0003587728.tif 000011
【図１１】
0003587728.tif 000012
【図１２】
0003587728.tif 000013
【図１３】
0003587728.tif 000014
【図１４】
0003587728.tif 000015